(57)【特許請求の範囲】
【請求項１】
カメラ本体(11)に組み込まれ、回動して開閉するストロボケース(４)の自由端に発光体(５)を配備したストロボユニットであって、カメラ本体(11)に固定されるベース部材(３)に該ベース部材(３)とは別部材であるケース取付片(６)を突設し、ストロボケース(４)の基端に開設した切欠(42)に該取付片(６)を嵌め、該取付片(６)を貫通して配備した支持軸(61)の両端をケース本体(41)の切欠(42)両側の脚部(43)(43)に外部から見えない様に嵌めて支持し、ストロボケース(４)をバネ(７)にて常時開方向に付勢し、ロック手段(８)によってストロボケース(４)を閉位置にロック可能なカメラのストロボユニット。
【請求項２】
取付片(６)は、ベース部材(３)にネジ止め固定され、ストロボケース(４)は、ケース本体(41)と該本体の底部に被さって本体(41)にネジ止めされた被せ板(40)とによって形成され、支持軸(61)の両端は、ケース本体(41)と被せ板(40)に挟まれ、本体(41)と被せ板(40)に形成した溝部(45)(48)に嵌まって支持されている請求項１に記載のストロボユニット。
【請求項３】
バネ(７)は、支持軸(61)に嵌まって一端を取付片(６)に、他端をストロボケース(４)に当て、取付片(６)とストロボケース(４)との間に形成された空間に収容されたトーションバネである請求項１又は２に記載のカメラのストロボユニット。
【請求項４】
請求項１乃至３の何れかのストロボユニット(２)をカメラ本体(11)の円筒外壁上の凹部(17)に組み込んだデジタルスチルカメラ。
【発明の詳細な説明】
【０００１】
【発明の属する分野】
本発明は、カメラの鏡筒近傍に組み込まれ、回動して開閉するストロボケースの自由端に発光体を配備したストロボユニットに関するものである。
【０００２】
【従来の技術及び本発明が解決しようとする課題】
カメラのストロボには、先端に発光体を具えたストロボケースの基端をカメラ本体に回動可能に支持し、通常はストロボケースをカメラ本体側に閉じて発光体の存在を隠し、使用時にストロボケースを回転して開き発光体を前方へ露出させるものがある。
上記回転開閉式のストロボは、体裁がよく閉じると嵩張らない利点がある。
ところが、ストロボケースを貫通した回転支持軸の両端をカメラ本体で支持する構成であるから、カメラ本体から軸支持部が膨らんでしまいデザイン的な制約を受ける。
【０００３】
特に、画像をディスクに記録できるデジタルスチルカメラでは、鏡筒部の円筒外壁を彫り込んで回転開閉式のストロボケースを組み込もうとすれば、ストロボケースの基端を貫通する回転支持軸の組込みと支持のために、円筒形外壁のデザインに大きな制約を受けることになり、実施し難い問題があった。
【０００４】
本発明は、ストロボケースの回転支持軸の取付けに工夫を施し、１つのユニットとしてカメラ本体とは別個に組み立ててからカメラ本体に組込みが出来、カメラの外観デザインに大きな制約を与えないストロボユニットを明らかにするものである。
【０００５】
【課題を解決する手段】
本発明のストロボユニットは、カメラ本体(11)に組み込まれ、回動して開閉するストロボケース(４)の自由端に発光体(５)を配備したストロボユニットであって、カメラ本体(11)に固定されるベース部材(３)に該ベース部材(３)とは別部材であるケース取付片(６)を突設し、ストロボケース(４)の基端に開設した切欠(42)に該取付片(６)を嵌め、該取付片(６)を貫通して配備した支持軸(61)の両端をケース本体(41)の切欠(42)両側の脚部(43)(43)に外部から見えない様に嵌めて支持し、ストロボケース(４)をバネ(７)にて常時開方向に付勢し、ロック手段(８)によってストロボケース(４)を閉位置にロック可能に構成されている。
【０００６】
【作用及び効果】
ストロボユニット(２)をカメラ本体(11)とは別個に組み立てておいて、カメラ本体(11)に組み込みできるため、組み込み作業性がよい。
ストロボケース(４)を回転支持する支持軸(61)は、該軸の中央部をベース部材(３)上の取付片(６)で保持し、軸(61)の両端をストロボケース(４)の脚部(43)(43)に嵌めており、カメラ本体(11)に軸の支持部を設ける必要はなく、該支持部形成のためにデザイン的な制約を受けることはない。
【０００７】
【発明の実施の形態】
図１は、デジタルスチルカメラ(１)を示し、カメラ本体(11)の前部円筒外壁(15)内に鏡筒(12)、円筒外壁(15)の側方に記録用ディスクを収容するディスク収容部(13)、円筒外壁(15)の後方にビューファイダー(14)を有し、カメラ本体(11)内にデイスク記録再生用メカニズム、記録再生用回路(何れも図示せず)を内蔵している。
【０００８】
円筒外壁(15)に凹部(17)を形成し、該凹部(17)にストロボユニット(２)を取り付けている。
図２に示す如く、ストロボユニット(２)は、ベース部材(３)と該ベース部材(３)上に突設した取付片(６)と、該取付片(６)を貫通した支持軸(61)の両端に両脚部(43)(43)が枢支され自由端に発光体(５)を具えたストロボケース(４)によって構成される。
【０００９】
ベース部材(３)は、円筒外壁(15)の凹部(17)に嵌まってネジ止めされるものであり、ストロボケース(４)が嵌まり込む様に上面が開口し、前部にストロボケース(４)を回転して閉じた際に該ケースの自由端が侵入する凹み部(32)、後部両側にストロボケース(４)が回転して開いた時にケースの脚部(43)(43)が侵入する凹み部(35)(35)が形成されている。
【００１０】
ベース部材(３)の前壁(31)は、ストロボケース(４)の発光体(５)を隠すために高く形成されている。
ベース部材(３)の外周部は、カメラ本体(11)の円筒外壁(15)に沿う様に全体的に円弧状に湾曲している。
ベース部材(３)の前部側方に、後記の如くストロボケース(４)を閉じた状態にロックするロック手段(８)の収容部(36)が設けられている。
【００１１】
ベース部材(３)の前後の凹み部(32)(35)(35)間の台部(33)中央に、取付片(６)がベース部材(３)の下面からビス挿通孔(34)(34)を貫通したビス(37)にて固定される。但し、取付片(６)のベース部材(３)への固定は、後記の如く、取付片(６)をストロボケース(４)に組み込んだ後に行う。
【００１２】
図２、図６に示す如く、取付片(６)の後部に鏡筒(12)の軸心と直交して支持軸(61)が貫通して設けられ、軸(61)の両端を取付片(６)から突出させている。
取付片(６)の片側の側面を凹ませて空間(62)を形成し、上記支持軸(61)の一端に嵌めたトーションバネ(７)の長さの略半分を収容している。
【００１３】
図２、図３、図５に示す如く、ストロボケース(４)は、ケース本体(41)と該ケースの下面に被る被せ板(40)とによって形成される。
ケース本体(41)は、前端にキセノン管等の発光体(５)を内蔵して前面開口に光拡散板(51)を嵌め込んでいる。
ケース本体(41)の前部一側方に下向きにロック用突片(18)が突設され、該突片(18)に孔(19)が開設されている。
【００１４】
図２、図６に示す如く、ケース本体(41)の基端中央部に前記取付片(６)が嵌まり込む切欠(42)が開設され、切欠(42)を挟む両側は脚部(43)(43)となっている。
両脚部(43)(43)には、支持軸(61)の両端が嵌まる溝部(45)(45)が形成れている。溝部(45)は断面半円状である。
ケース本体(41)の一方の脚部(43)上に前記トーションバネ(７)の長さの略半分を収容する空間(49)が形成されている。
又、ケース本体(41)の下面には脚部(43)(43)を含む３カ所にネジ孔(44)が開設されている。
【００１５】
被せ板(40)は、ケース本体(41)の下面に被さる様に略コ字状に形成され、ケース本体(41)の前記溝部(45)(45)との対応位置に同様の断面形状の溝部(48)(48)を形成している。
被せ板(40)には、ケース本体(41)のネジ孔(44)との対応位置にビス挿通孔(46)(46)(46)が設けられ、前記取付片(６)上の支持軸(61)の両端をケース本体(41)と被せ板(40)の溝部(45)(48)で挟み、ビス(47)にてケース本体(41)に固定される。
【００１６】
前記した様に、ストロボケース(４)に取付片(６)を組み込むまでは、取付片(６)をベース部材(３)に固定していない。従って、上記の如く、ケース本体(41)と被せ板(40)との間に取付片(６)上の支持軸(61)の両端を挟み込んでストロボケース(４)と被せ板(40)を固定する段階では、トーションバネ(７)は利いておらず、組立の際にバネ力が作用して組立て難いという問題は生じない。
【００１７】
上記の手順でストロボケース(４)に取付片(６)を組み込んだ後、取付片(６)をベース部材(３)の台部(33)に載せ、トーションバネ(７)の力に抗してストロボケース(４)をベース部材(３)側に押圧した状態で、ベース部材(３)の下方からビス(37)により取付片(６)を固定する。
ベース部材(３)に対する押圧を解除すれば、トーションバネ(７)のバネ力により、支持軸(61)を中心にストロボケース(４)が回転して開き、光拡散板(51)が正面を向いて露出する。
【００１８】
前記ベース部材(３)上のロック手段収容部(36)に、ストロボケース(４)をバネに抗して閉じ状態にロックするロック手段(８)が配備される。
ロック手段(８)は、図３、図４に示す如く、収容部(36)内にストロボケース(４)が回動する面内と直交する面内で回動可能にロック部材(81)を配備し、該ロック部材(81)に前記ケースの突片(18)の孔(19)に引っ掛かり可能な爪(82)が突設されている、ロック部材(81)の回転支持軸(83)にはロック部材(81)を突片(18)に係合する方向方向に付勢するトーションバネ(84)が嵌まっている。
【００１９】
ロック手段収容部(36)には、ロック解除用の押釦(85)がロック部材(81)に対して斜め上方からロック解除方向にスライド可能に配備され、抜止ピン(87)が押釦(85)の長孔(86)に嵌まって抜止ピン(87)の抜止めが図られる。
【００２０】
図１、図２、図４、図６に示す如く、上記ストロボユニット(２)は、ストロボケース(４)を閉じた状態でカメラ本体(11)の円筒外壁(15)に組み込んだとき、上部は該円筒外壁(15)から突出するが、その突出部は円筒外壁(15)の円弧面に沿う様に全体的に円弧状に湾曲した外観に形成されている。
【００２１】
図１に示す如く、円筒外壁(15)には、ストロボユニット(２)を組み込んだ後に、飾り板(16)がビス止め等によって固定され、該飾り板(16)には前記押釦(85)が露出する孔(16a)が開設されている。
【００２２】
然して、トーションバネ(84)に抗して押釦(85)を押すと、ロック部材(81)が押釦(85)に押されてその爪(82)がストロボケース(４)の突片(18)の孔(19)から離脱する方向に回転し、ストロボケース(４)のロックを解除する。
【００２３】
押釦(85)から手指を離すと、トーションバネ(84)のバネ力により、ロック部材(81)は元位置に復帰し、このとき同時に押釦(85)を元位置に押し上げる。
即ち、トーションバネ(84)は、ロック部材(81)の元位置の復帰と押釦(85)の元位置の復帰の両方の役割を果たす。これはロック手段収容部(36)の狭い空間内に組み込む部品点数の削減に寄与している。
【００２４】
上記の様に、ストロボケース(４)に対するロックが解除されると、トーションバネ(７)によって常時開き方向に付勢されているストロボケース(４)はロック解除により瞬間的に開き方向に回動し、光拡散板(51)を前方に向け、いつでも発光体(５)を働かせることができる。
【００２５】
ストロボケース(４)を閉じ方向に押圧すると、ストロボケース(４)の突片(18)がロック部材(81)の爪(82)に当たってロック部材(81)を後退方向に回転させ、突片(18)の孔(19)の位置が爪(82)に対応すれば、ロック部材(81)がロック方向に回転して爪(82)が突片(18)の孔(19)に嵌まってロック状態となる。
【００２６】
上記の如く、本発明のストロボユニット(２)は、カメラ本体(11)とは別個に組み立てておいて、カメラ本体(11)に組み込みできるため、組み込み作業性がよい。
ストロボケース(４)を回転支持する支持軸(61)は、該軸の中央部をベース部材(３)上の取付片(６)で保持し、軸(61)の両端をストロボケース(４)の脚部(43)(43)に嵌めており、カメラ本体(11)に軸の支持部を設ける必要はなく、該支持部形成のためにデザイン的な制約を受けることはない。
【００２７】
尚、本発明のストロボユニット(２)は、デジタルスチルカメラ(１)に限らず、フィルム装填のカメラのストロボにも実施できるのは勿論であり、又、取付け位置も、実施例の様な円筒外壁上に限ることはなく、特許請求の範囲に記載の範囲で種々の変形が可能である。
【図面の簡単な説明】
【図１】デジタルスチルカメラの斜面図である。
【図２】ストロボユニットの分解斜面図である。
【図３】ストロボユニットの断面図である。
【図４】図３Ａ−Ａ線に沿う断面図である。
【図５】ストロボケースの断面図(図３とは向きが逆)である。
【図６】支持軸の支持状態の断面図である。
【符号の説明】
(１)  デジタルスチルカメラ
(11)  カメラ本体
(15)  円筒外壁
(２)  ストロボユニット
(３)  ベース部材
(４)  ストロボケース
(40)  被せ板
(41)  ケース本体
(42)  切欠
(５)  発光体
(６)  取付片
(61)  支持軸
【図１】
0003733003.tif 000002
【図２】
0003733003.tif 000003
【図３】
0003733003.tif 000004
【図４】
0003733003.tif 000005
【図５】
0003733003.tif 000006
【図６】
0003733003.tif 000007